(57)【要約】【課題】最適な記録パワーの決定を容易に行える光ディスク装置を提供する。【解決手段】記録パワーを変化させて光ディスクに記録マークの列を形成し、この記録マークの列に基づいて生成されるスライスレベルが所定の基準と対応するか否かを判定する。スライスレベルが基準と対応しないときに記録パワーの範囲を再設定する。記録パワーの範囲を再設定して、光ディスクへの記録、再生を行うことで、記録パワーの決定が容易となる。【選択図】図５
2005190631.tif 000002
【特許請求の範囲】
【請求項１】
記録パワーを変化させて光ディスクに記録マークの列を形成させる記録制御部と、
前記光ディスクから記録を再生するＲＦ信号を２値化するためのスライスレベルを生成するスライスレベル生成部と、
前記スライスレベル生成部で生成されるスライスレベルが所定の基準と対応するか否かを判定するスライスレベル判定部と、
前記スライスレベル生成部で生成されるスライスレベルが前記所定の基準と対応しないと前記スライスレベル判定部が判定したときに、前記記録パワーの変化範囲を再設定する再設定部と、
を具備することを特徴とする光ディスク装置。
【請求項２】
前記スライスレベル生成部で生成されるスライスレベルと前記基準との大小関係に基づき、前記再設定部が記録パワーの変化範囲を再設定する
ことを特徴とする請求項１記載の光ディスク装置。
【請求項３】
前記記録制御部が前記光ディスクの所定の領域内に記録マークを形成させ、
前記光ディスク装置が、前記所定の領域に空きがあるか否かを判定する空領域判定部、
をさらに具備することを特徴とする請求項１記載の光ディスク装置。
【請求項４】
前記空領域判定部が前記所定の領域に空きがないと判定したときに、前記基準との差が最小のスライスレベルに基づき、前記光ディスクへの情報の記録を行う記録パワーを決定する記録パワー決定部、
をさらに具備することを特徴とする請求項３記載の光ディスク装置。
【請求項５】
前記空領域判定部が前記所定の領域に空きがないと判定したときに、前記スライスレベルの変化に基づき、前記光ディスクへの情報の記録を行う記録パワーを決定する記録パワー決定部、
をさらに具備することを特徴とする請求項３記載の光ディスク装置。
【請求項６】
前記空領域判定部が前記所定の領域に空きがないと判定したときに、警告を発する警告部、
をさらに具備することを特徴とする請求項３記載の光ディスク装置。
【発明の詳細な説明】
【技術分野】
【０００１】
本発明は、光ディスクへの記録、再生を行う光ディスク装置に関する。
【背景技術】
【０００２】
光ディスクへの情報の記録、再生に光ディスク装置が用いられる。
光ディスクへの情報の記録は光ディスクに光を断続的に照射して光ディスク上に記録マークの列を形成することで行われる。記録マークとそれ以外の箇所との特性（例えば、反射率）の相違を利用して、情報を記録・再生する。光ディスクへの情報の書き込みの際には照射時の記録パワーが情報の記録に適した強度に保たれる。
ところで、光ディスクの製造に用いられる材料および製造工程は一定ではない。また、光ディスク装置が設置される温度環境も地域、季節によって変動する。このため、光ディスクへの記録に適した記録パワーはその光ディスクの材料、製造工程、さらには温度環境により変動する。
このため、光ディスクに試験領域（ＰＣＡ（Power Calibration Area））を設け、この領域に記録パワーを変化させて試験的な記録を行い、この再生データから最適な記録パワーを決定するＯＰＣ（Optimum Power Control）が行われる。
なお、光磁気記録装置において半導体レーザの最適な記録パワーを確定する技術が公開されている（特許文献１参照）。
【特許文献１】特開平８−２７９１９９号公報
【発明の開示】
【発明が解決しようとする課題】
【０００３】
ＯＰＣでは記録パワーを変化させ、その記録結果から最適な記録パワーを割り出す。この変化範囲はある程度最適な記録パワーを予測して行われる。最適記録パワーの検出の確実性とその精度とを両立するためである。即ち、記録パワーの変動が大きい光ディスクで最適記録パワーを確実に検出するためには、記録パワーの変化幅を大きく設定する必要がある。この一方、変化幅を大きく取ると記録パワーの精度が下がる。
しかしながら、最適記録パワーが予想範囲から外れる可能性がある。
上記に鑑み、本発明は最適な記録パワーの決定を容易に行える光ディスク装置を提供することを目的とする。
【課題を解決するための手段】
【０００４】
上記目的を達成するために、本発明に係る光ディスク装置は、記録パワーを変化させて光ディスクに記録マークの列を形成させる記録制御部と、前記光ディスクから記録を再生するＲＦ信号を２値化するためのスライスレベルを生成するスライスレベル生成部と、前記スライスレベル生成部で生成されるスライスレベルが所定の基準値と対応するか否かを判定するスライスレベル判定部と、前記スライスレベル生成部で生成されるスライスレベルが前記所定の基準値と対応しないと前記スライスレベル判定部が判定したときに、前記記録パワーの変化範囲を再設定する再設定部と、を具備することを特徴とする。
【０００５】
記録パワーを変化させて光ディスクに記録マークの列を形成し、この記録マークの列に基づいて生成されるスライスレベルが所定の基準値と対応するか否かを判定する。スライスレベルが基準と対応しないときに記録パワーの範囲を再設定する。
記録パワーの範囲を再設定することから、この再設定に基づいて、光ディスクへの記録、再生を行い、記録パワーを決定することが可能となる。
【０００６】
（１）前記スライスレベル生成部で生成されるスライスレベルと前記基準との大小関係に基づき、前記再設定部が記録パワーの変化範囲を再設定してもよい。
スライスレベルと基準の大小関係に基づいて、記録パワーの変化範囲の再設定を適切に行える。
【０００７】
（２）前記記録制御部が前記光ディスクの所定の領域内に記録マークを形成させ、前記光ディスク装置が、前記所定の領域に空きがあるか否かを判定する空領域判定部、をさらに具備してもよい。
所定の領域（例えば、ＰＣＡ）に空きがあるか否かに応じて、処理内容を変更できる。
【０００８】
１）光ディスク装置が、前記空領域判定部が前記所定の領域に空きがないと判定したときに、前記基準との差が最小のスライスレベルに基づき、光ディスクへの情報の記録を行う記録パワーを決定する記録パワー決定部をさらに具備しても差し支えない。
所定の領域に空きが無くなっても、基準との差が最小のスライスレベルに基づき、最適な記録パワーを決定することができる。
【０００９】
２）光ディスク装置が、前記空領域判定部が前記所定の領域に空きがないと判定したときに、前記スライスレベルの変化に基づき、光ディスクへの情報の記録を行う記録パワーを決定する記録パワー決定部、をさらに具備しても差し支えない。
所定の領域に空きが無くなっても、例えば、スライスレベルの変化を外挿することで、最適な記録パワーを決定することができる。
【００１０】
３）光ディスク装置が、前記空領域判定部が前記所定の領域に空きがないと判定したときに、警告を発する警告部、をさらに具備しても差し支えない。
所定の領域に空きが無くなった場合に警告を行うことでユーザに不測の不利益を招くことを防止できる。この警告は一種のエラー情報として、ユーザへのエラー表示やこの光ディスクへの記録動作の禁止等に用いることができる。
【発明の効果】
【００１１】
以上説明したように、本発明によれば最適な記録パワーの決定を容易に行える光ディスク装置を提供できる。
【発明を実施するための最良の形態】
【００１２】
以下、図面を参照して、本発明の実施の形態を詳細に説明する。
以下、本発明の実施の形態を図面に基づき説明する。
図１は、本発明の一実施形態に係る、光ディスク装置１００の全体的な構成を示す図である。
この光ディスク装置１００は、光ディスクＤへのデータの記録および再生が可能である。
この光ディスクＤは、後述するように、試験的な記録を行い適切な記録パワーを設定するための試験領域（ＰＣＡ：Power Calibration Area）を有するものとする。このＰＣＡは、光ディスクＤ上に例えば、リング状の領域として設定され、ユーザによるデータの記録、再生を前提としない領域である。
【００１３】
光ディスク装置１００は、全体の動作を制御するシステム制御部１０１と、このシステム制御部１０１の制御用のプログラムや各種パラメータなどがファームウェアとして格納されたＲＯＭ１０２と、システム制御部１０１の作業領域として用いられるＲＡＭ１０３とを備える。
システム制御部１０１は、プログラムによって動作することで、記録パワーを変化させて光ディスクＤに記録マークの列を形成させる記録制御部、スライスレベルが所定の基準と対応するか否かを判定するスライスレベル判定部、記録パワーの変化範囲を再設定する再設定部、所定の領域に空きがあるか否かを判定する空領域判定部、および記録パワーを決定する記録パワー決定部として機能する。
【００１４】
この光ディスク装置１００は、光ディスクＤに対する情報の書き込み及び読み出しを行う光ピックアップ１１１を有している。この光ピックアップ１１１は、レーザ光源ＬＤと、光検出器ＰＤと、レーザ光源ＬＤからの出射レーザを光ディスクＤの記録面に集光し、かつ光ディスクＤの記録面からの反射光を光検出器ＰＤの受光面に導く光学系（図示せず）を有する。
この光ディスク装置１００は、この光ピックアップ１１１を光ディスクＤの半径方向に搬送駆動するフィードモータ１１２と、光ディスクを回転駆動するディスクモータ１１３とを備える。
【００１５】
この光ディスク装置１００は、変調・書き込み制御回路１２１、レーザ光源ＬＤを駆動するレーザ駆動回路１２２、ＲＦアンプ１２３、信号処理回路１３０を備える。
光ディスクＤへのデータ記録時には、誤り訂正用のパリティの付加およびスクランブル処理が行われた記録用データが、変調・書き込み制御回路１２１へ送られる。変調・書き込み制御回路１２１は、記録用のデータを変調した後、記録レーザ光を制御する信号波形を生成する。この信号波形の生成は、システム制御部１０１で設定されたライトストレジ用のパラメータ（たとえば、レーザパワー値（記録パワーに対応）、レーザ照射時間、照射タイミングなど）に基づいて行われる。このようにして生成された信号波形はレーザ駆動回路１２２に送られる。レーザ駆動回路１２２は、この信号波形に応じた駆動信号を生成してレーザ光源ＬＤに供給する。これによってレーザ光源ＬＤが駆動され、光ディスクＤの記録面に記録マークが形成される。
【００１６】
光ディスクＤからのデータ再生時には、光検出器ＰＤからの出力に基づきＲＦアンプ１２３でＲＦ信号が生成されて信号処理回路１３０に送られる。信号処理回路１３０は、ＲＦ信号の２値化（データスライス）などの信号処理を行う回路である。信号処理回路１３０でＲＦ信号が２値化され、２値化信号が得られる。
【００１７】
図２は、信号処理回路１３０の内部構成を表すブロック図である。また、図３は、ＲＦ信号と２値化信号とを対比して表すタイミングチャートである。
信号処理回路１３０は、スライサ１３１，積分器１３２，比較器１３３を有する。
スライサ１３１には、ＲＦ信号とスライス信号（「データスライサ信号」ともいう）が入力され、２値化信号が出力される。スライサ１３１は、ＲＦ信号とスライス信号とを比較して、ＲＦ信号がスライス信号よりも大きければ２値化信号をＨ（Ｈｉｇｈ）レベルとし、ＲＦ信号がスライス信号よりも小さければ２値化信号をＬ（Ｌｏｗ）レベルとする。即ち、スライス信号は、ＲＦ信号を２値化するための境界（スライスレベル）を規定する信号である。後述するように、スライス信号は２値化信号から生成される。
２値化信号は、信号処理回路１３０から出力されると共に、積分器１３２で積分される。この積分の結果は比較器１３３に入力され、基準積分値と比較され、スライス信号が出力され、スライサ１３１での処理に利用される。
【００１８】
このように、信号処理回路１３０は一種のフィードバックループを形成し、ＲＦ信号から適切な２値化信号が得られるように、スライス信号を自動的に調節し、スライスレベル生成部として機能する。
スライス信号の調節は、２値化信号の“Ｈ”期間と“Ｌ”期間とが等しくなるように行われる。これは、記録用のデータに基づいてレーザ光源ＬＤが駆動される際に、レーザ光源ＬＤのＯＮ／ＯＦＦの頻度が等しくなるようにデータが加工されることに基づく。
図３では、スライス信号はＲＦ信号の上下のピークの中央付近に固定されている。しかしながら、スライス信号はいつもこのようになるとは限らず、記録時におけるレーザ光源ＬＤからの光強度（記録パワー）や光ディスクＤの材質、製造工程等によって変動する。
【００１９】
図４は、ＲＦ信号、スライス信号を記録マークの列と対比して表すタイミングチャートである。
ここでは、光ディスクＤ上に長短の記録マークＭ１，Ｍ２の列が形成されている。この記録マークＭ１，Ｍ２は、はレーザ光源ＬＤからの照射時間の長短に対応する。光ディスクＤが略一定速度で回転していることから、照射時間の長短に応じて記録マークの長さの長短が決定される。
【００２０】
光ディスクＤの再生時には、この記録マークに応じてＲＦ信号が生成される。図４では、記録マークＭ１、Ｍ２それぞれに対応するＲＦ信号のピークの高さが異なっている。既述のように、スライス信号は２値化信号のＨとＬの出現頻度が等しくなるように定められ、その結果、スライス信号の強度（スライスレベル）が、ＲＦ信号の中心レベル（ＲＦ信号の最大値、最小値の中央のレベル）から変化している。
図４ではスライスレベルが中心レベルから上昇した場合を示しているが、スライスレベルが中心レベルより下降する場合もある。
【００２１】
スライスレベルが中心レベルから大きくずれると、ＲＦ信号を２値化したときにデータの誤りが生じる可能性が大きくなる。このため、スライスレベルが所定の基準（基準スライスレベル）になるように、最適な記録パワーを設定する。このときの基準スライスレベルは、図４のＲＦ信号の中心レベルまたはそれに近い値を採用することができる。
光ディスクＤに最適記録パワーで記録を行うことで再生時のデータの誤りを低減できる。
【００２２】
（光ディスク装置１００の動作）
図５は、光ディスク装置１００で記録パワーを設定する手順の一例を表すフロー図である。
この設定は、通例、ユーザが新たな光ディスクＤを光ディスク装置１００に装着した場合に行われる。適切な記録パワーが設定された後は、同一の光ディスクＤに対して設定された記録パワーでデータの記録が行われる。このようにするには、例えば、ＰＣＡに設定した記録パワーの情報を書き込み、光ディスクＤが挿入されたときに光ディスク装置１００がこの情報を読み込むようにすればよい。
【００２３】
以下、図５に基づき、光ディスク装置１００で記録パワーを設定する手順を説明する。
（１）光ピックアップ（ヘッド）１１１がＰＣＡ（パワー較正領域）に移動される（ステップＳ１１）。この領域への試験的な記録を行うためである。
【００２４】
（２）その後、記録パワーを変化させて光ディスクＤへの記録を行い、光ディスクＤのＰＣＡの記録面上に記録マークＭの列を形成する（ステップＳ１２）。
このときの記録パワーの変化範囲は、例えば、光ディスクＤの種別に対応したテーブルとして、ＲＯＭ１０２等に記憶させておけばよい。光ディスクＤの種別を判定して、この判定結果に基づきテーブルを参照することで、記録パワーの変化範囲を定めることができる。光ディスクの種別に応じて、最適記録パワーの範囲がある程度予想可能だからである。
【００２５】
記録パワーの変化は連続的、段階的のいずれで変化されても差し支えない。また、変化が降順、昇順、あるいはランダムのいずれでもよい。また、記録が連続した領域に行われず、飛び飛びの領域に行われても差し支えない。即ち、記録パワーとスライスレベルとの対応関係が求められるのであれば、記録の順序は適宜に変更可能である。
【００２６】
記録マークＭの列を形成することからレーザ光源ＬＤからの光の照射は断続的に行われる（ＯＮ／ＯＦＦされる）。形成される記録マークは、図４に示したような長短の記録マークが含まれていることが好ましい。
【００２７】
また、長さの長短が異なる記録マークの形成が同一の記録パワーで行われることが、記録パワーとスライスレベルとの対応を把握する上で好ましい。
但し、１つの記録マークの生成時において、レーザ光源ＬＤから出射される光の強度が時間的に変化することが許容される。光の照射パターンがある程度維持されれば、光強度に時間的な変化があっても、時間的な変化を捨象した記録パワーとして把握することが可能である。例えば、記録マークの形成の開始初期、終了直前のみ光強度が変化して、その間の変化が小さければ、この中間地点での光強度を記録パワーとして取り扱うことができる。
記録パワーとして、変調・書き込み制御回路１２１を制御するためのライトストラテジのパラメータ（レーザパワー値）を用いることができ、変調・書き込み制御回路１２１の制御との関係が明確となる。
【００２８】
なお、光ディスクＤへの記録の際に、記録を行った光ディスクＤ上のアドレスとそのときの記録パワーの対応関係の情報をＲＡＭ１０３等に記憶させておくことが好ましい。後のステップＳ１３で、記録パワーとスライスレベルとの対応関係を求めるためである。
【００２９】
（３）光ディスクＤのＰＣＡから記録を再生し、スライスレベルの情報を取得する（ステップＳ１３）。この結果、この光ディスクＤにおける記録パワーとスライスレベルとの関係を求めることができる。
既述のように、スライスレベルは信号処理回路１３０から出力されるスライス信号に対応する。また、ステップＳ１２で記憶させた対応関係の情報を参照することで、再生を行った箇所のアドレスから記録時の記録パワーを求められる。このようにして、記録パワーとスライスレベルとの関係が求められる。
図６〜９は、このようにして求められた、記録パワーとスライスレベルの対応関係を表すグラフである。
【００３０】
（４）スライスレベルが基準（基準スライスレベル）と対応するか否かが判断される（ステップＳ１４）。
この判断がＹｅｓであれば、基準に基づき記録パワーが決定される（ステップＳ１５）。図６の例は、記録パワーが基準と対応する例である。ここでは、求められたスライスレベルと基準スライスレベルとがグラフ上で交差する箇所を最適記録パワーとしている。
【００３１】
（５）ステップＳ１４での判断がＮｏの場合には、ＰＣＡに空きがあるか否かが判断される（ステップＳ１６）。
この判断がＹｅｓであれば、記録パワーの変化範囲が再設定され、再度の記録、スライスレベル情報の取得、基準との対応判断が行われ、最適記録パワーが決定される（ステップＳ１２〜Ｓ１６）。
【００３２】
記録パワー変化範囲の再設定は、例えば、スライスレベルと基準スライスレベルの大小関係（差分の極性）に基づいて行える。
図７は、この大小関係に基づき、記録パワーの変化範囲を再設定する例を表す。
図７のＣａｓｅＡは記録パワーの変化範囲でのスライスレベルが基準スライスレベルより小さい場合を表し、ＣａｓｅＢは記録パワーの変化範囲でのスライスレベルが基準スライスレベルより大きい場合を表す。
このときには、ＣａｓｅＡでは記録パワーの変化範囲を当初の設定範囲よりも小さい方にずらし、ＣａｓｅＢでは記録パワーの変化範囲を当初の設定範囲よりも大きい方にずらして、ステップＳ１２での記録を行う。
このように、スライスレベルと基準スライスレベルの大小関係に基づいて記録パワーの変化範囲を再設定するのは、一般的には、記録パワーを増大するとスライスレベルが減少する傾向があることに基づく。
【００３３】
（６）ステップＳ１６での判断がＮｏであれば、ＰＣＡへの記録の追加を行うことができない。この場合には、スライスレベルと基準スライスレベルとの相違が許容範囲内であるか否かが判断される（ステップＳ１８）。この許容範囲の情報は、例えば、ＲＯＭ１０２に予め書き込んでおけばよい。
この判断がＹｅｓであれば、スライスレベルと基準スライスレベルとの対応関係により記録パワーを決定する。
【００３４】
１）この決定は、例えば、基準スライスレベルに最も近いスライスレベルに基づいて行える。
図８は、基準スライスレベルに最も近いスライスレベルに基づいて、最適記録パワーを設定する例を表す。
ここでは、ＣａｓｅＣ、Ｄ２つの場合が示される。これらはそれぞれ、基準スライスレベルより、小さい場合、大きい場合である。このいずれの場合も、記録パワーの変化範囲内において、基準スライスレベルとの差が閾値内（許容範囲内）のスライスレベルが存在する。
ＣａｓｅＣでは基準スライスレベルに最も近いスライスレベルは記録パワーの変化範囲の下限に対応し、ＣａｓｅＤでは基準スライスレベルに最も近いスライスレベルは記録パワーの変化範囲の上限に対応する。このため、ＣａｓｅＣ、Ｄそれぞれでの最適記録パワーは、記録パワーの変化範囲の上限、下限として決定される。
【００３５】
２）スライスレベルを外挿することで最適記録パワーを決定することもできる。
図９は、スライスレベルを外挿することで最適記録パワーを決定する例を表す。この図に示されたＣａｓｅＣ，Ｄは、図８のＣａｓｅＣ，Ｄと同様であるが、ここでは図８と異なる手法で最適記録パワーを決定している。
即ち、ＣａｓｅＣ，Ｄのスライスレベルを外挿したラインと基準スライスレベルとが交差する点から最適記録パワーを決定している。外挿とは、スライスレベルの変化状態を近似して、記録パワーの変化範囲外でのスライスレベルを予想することを意味する。
このように、近似を行うことで、最適記録パワーをより適切に決定することが可能となる。
【００３６】
（７）ステップＳ１８での判断がＮｏの場合には、警告を発する（ステップＳ１９）。
即ち、記録品位を保てる最適な記録パワーが検出不能と判断し、その旨の警告を行う。この警告は、システム制御部１０１からのエラー報告情報として発せられ、必要に応じてユーザへの表示、この光ディスクＤへの記録の禁止等が行われる。ユーザへの警告等により、ユーザデータ破壊のおそれを防止することができる。
【図面の簡単な説明】
【００３７】
【図１】本発明の一実施形態に係る光ディスク装置を表すブロック図である。
【図２】光ディスク装置の信号処理回路の内部構成例を表すブロック図である。
【図３】ＲＦ信号、スライスレベル、および２値化信号の対応関係を表すタイミングチャートである。
【図４】スライスレベルの変化を表すタイミングチャートである。
【図５】光ディスク装置の動作手順の一例を表すブロック図である。
【図６】スライスレベルと記録パワーの対応関係の例を表すグラフである。
【図７】スライスレベルと記録パワーの対応関係の例を表すグラフである。
【図８】スライスレベルと記録パワーの対応関係の例を表すグラフである。
【図９】スライスレベルと記録パワーの対応関係の例を表すグラフである。
【符号の説明】
【００３８】
１００…光ディスク装置、１０１…システム制御部、１０２…ＲＯＭ、１０３…ＲＡＭ、１１１…光ピックアップ、１１２…フィードモータ、１１３…ディスクモータ、１２１…制御回路、１２２…レーザ駆動回路、１２３…アンプ、１３０…信号処理回路、１３１…スライサ、１３２…積分器、１３３…比較器、Ｄ…光ディスク、ＬＤ…レーザ光源、ＰＤ…光検出器
【図１】
2005190631.tif 000003
【図２】
2005190631.tif 000004
【図３】
2005190631.tif 000005
【図４】
2005190631.tif 000006
【図５】
2005190631.tif 000007
【図６】
2005190631.tif 000008
【図７】
2005190631.tif 000009
【図８】
2005190631.tif 000010
【図９】
2005190631.tif 000011